(57)【要約】【課題】  隣家との関係等、周辺環境を考慮して自己の住宅の防犯を診断することを可能にするとともに、隣の住宅との防犯上の連係を考慮して自己の住宅のシミュレーションを可能とする。【解決手段】  防犯診断部１５は、入力手段１４によりユーザによって入力されたチェック項目のチェック数に基づき、チェックポイントデータベース１１を参照してチェックポイントの合計点数を計算し、その合計点数に基づき、レベルデータベース１２を参照して安全度または危険度のレベルを決定し、そのレベルに対応した内容を表示手段１３に表示させることにより、安全度のレベルをユーザに報知する。【選択図】  図１
2005251107.tif 000002
【特許請求の範囲】
【請求項１】
自己の住宅地に対し隣地または隣家との関係を考慮して防犯上の安全度または危険度をチェックするスクラム防犯診断システムであって、
隣家を含む周辺環境に対するチェック項目とそのチェック項目の安全度または危険度を示すポイントとが対応付けられて格納されているチェックポイントデータベースと、
前記ポイントの合計点数に対応させて前記安全度または危険度のレベルを複数段階に区分して格納されているレベルデータベースと、
前記チェック項目をはじめとする各種情報を表示する表示手段と、
前記表示手段に表示されたチェック項目に対してユーザが入力を行うための入力手段と、
前記入力手段によりユーザによって入力されたチェック項目のチェック数に基づき、前記チェックポイントデータベースを参照してチェックポイントの合計点数を計算するとともに、その合計点数に基づき、前記レベルデータベースを参照して安全度または危険度のレベルを決定し、そのレベルに対応した内容を前記表示手段に表示させる防犯診断手段とを備えたことを特徴とするスクラム防犯診断システム。
【請求項２】
前記請求項１に記載のスクラム防犯診断システムを利用した住宅シミュレーションシステムであって、
住宅の窓や面格子といった各種住宅パーツ、フェンスや石垣、門扉といった各種外構パーツ、及び照明や検知センサ、カメラといった各種機器パーツに防犯を考慮したポイントが付与されて格納されている部品データベースと、
前記防犯診断手段による診断結果に基づき、一定レベルの安全度を満たすポイント数となるように前記部品データベースから各種部品を抽出し組み合わせて住宅の外観を構成し前記表示手段に表示するシミュレーション手段とを備えたことを特徴とする住宅シミュレーションシステム。
【請求項３】
自己の住宅を隣の住宅との防犯上の連係を考慮してシミュレーションする住宅シミュレーションシステムであって、
住宅の窓や面格子といった各種住宅パーツ、フェンスや石垣、門扉といった各種外構パーツ、及び照明や検知センサ、カメラといった各種機器パーツに防犯を考慮したポイントが付与されて格納されている部品データベースと、
前記ポイントの合計点数に対応させて前記安全度または危険度のレベルを複数段階に区分して格納されているレベルデータベースと、
住宅や敷地の模式図を表示する表示手段と、
ユーザが入力を行うための入力手段と、
自己の住宅及び隣の住宅の外壁や窓、フェンスや石垣といった各種パーツ情報を前記入力手段より入力することにより、自己及び隣の住宅外観を前記表示手段に表示するとともに、前記パーツ情報に基づき前記部品データベースを参照してこれらパーツ情報に付与されているポイントの合計点数を計算し、その合計点数に基づき、前記レベルデータベースを参照して安全度または危険度のレベルを決定し、そのレベルに対応した内容を前記表示手段に表示するシミュレーション手段とを備えたことを特徴とする住宅シミュレーションシステム。
【発明の詳細な説明】
【技術分野】
【０００１】
本発明は、自己の住宅地に対し隣地または隣家との関係を考慮して防犯上の安全度または危険度をチェックするスクラム防犯診断システム、及び隣の住宅との防犯上の連係を考慮して自己の住宅のシミュレーションを行う住宅シミュレーションシステムに関する。
【背景技術】
【０００２】
近時の犯罪件数の増加に伴い、住宅の防犯意識が高まっており、これを考慮して住宅情報を提供するシステムも提案されている（例えば、特許文献１参照）。このシステムは、建物を診断する際に、防犯対策が考慮されている。この他にも、住宅の防犯に関しては種々のシステムが提案されている。
【特許文献１】特開２００３−１８６９６９号公報
【発明の開示】
【発明が解決しようとする課題】
【０００３】
しかし、上記特許文献１において考慮されている防犯は、主として住宅内部の防犯であり、住宅外部に関しては、せいぜい庭に侵入した不審者を検知する検知センサを備えているか否かといった程度のものであった。
【０００４】
ところで、防犯はその家だけで十分な対策が行えるものではなく、隣家との関係等、周辺環境に大きく影響されるものである。
【０００５】
しかしながら、上記特許文献１をはじめとする従来のシステムでは、このような住宅の周辺環境まで考慮して防犯対策を検討するようにはなっておらず、防犯対策としては極めて不十分であるといった問題があった。
【０００６】
また、自己の住宅が周辺の住宅との関係においてどの程度の防犯効果を有しているのかを明確に診断できるようなシステムも現在までのところ提案されていない。
【０００７】
本発明はかかる実情に鑑みて創案されたものであって、その目的は、隣家との関係等、周辺環境を考慮して自己の住宅の防犯を診断することのできるスクラム防犯診断システム及び隣の住宅との防犯上の連係を考慮して自己の住宅のシミュレーションを行うことのできる住宅シミュレーションシステムを提供することにある。
【課題を解決するための手段】
【０００８】
本発明のスクラム防犯診断システムは、自己の住宅地に対し隣地または隣家との関係を考慮して防犯上の安全度または危険度をチェックするシステムであって、隣家を含む周辺環境に対するチェック項目とそのチェック項目の安全度または危険度を示すポイントとが対応付けられて格納されているチェックポイントデータベースと、前記ポイントの合計点数に対応させて前記安全度または危険度のレベルを複数段階に区分して格納されているレベルデータベースと、前記チェック項目をはじめとする各種情報を表示する表示手段と、前記表示手段に表示されたチェック項目に対してユーザが入力を行うための入力手段と、前記入力手段によりユーザによって入力されたチェック項目のチェック数に基づき、前記チェックポイントデータベースを参照してチェックポイントの合計点数を計算するとともに、その合計点数に基づき、前記レベルデータベースを参照して安全度または危険度のレベルを決定し、そのレベルに対応した内容を前記表示手段に表示させる防犯診断手段とを備えたことを特徴とする。
【０００９】
このシステムによれば、ユーザが種々のチェック項目について、該当する項目に順次チェックを入れていくだけで、自己の住宅地に対し隣地または隣家との関係を考慮した防犯上の安全度または危険度のレベルが自動的に表示されるので、これを参考としてよりしっかりとした防犯対策を施すことができる。また、これから家を建てようとしている場合には、安全度が上がるように住宅を設計すればよい。
【００１０】
また、本発明の住宅シミュレーションシステムは、上記スクラム防犯診断システムを利用したシステムであって、住宅の窓や面格子といった各種住宅パーツ、フェンスや石垣、門扉といった各種外構パーツ、及び照明や検知センサ、カメラといった各種機器パーツに防犯を考慮したポイントが付与されて格納されている部品データベースと、前記防犯診断手段による診断結果に基づき、一定レベルの安全度を満たすポイント数となるように前記部品データベースから各種部品を抽出し組み合わせて住宅の外観を構成し前記表示手段に表示するシミュレーション手段とを備えたことを特徴とする。
【００１１】
このシステムによれば、周辺環境、特に隣家との関係を考慮して、安全度が一定のレベルに達した構造の住宅を自動的に設計することができる。
【００１２】
また、本発明の住宅シミュレーションシステムは、自己の住宅を隣の住宅との防犯上の連係を考慮してシミュレーションするシステムであって、住宅の外壁や窓といった各種住宅パーツ、及びフェンスや石垣、門扉といった各種外構パーツに防犯を考慮したポイントが付与されて格納されている部品データベースと、前記ポイントの合計点数に対応させて前記安全度または危険度のレベルを複数段階に区分して格納されているレベルデータベースと、住宅や敷地の模式図を表示する表示手段と、ユーザが入力を行うための入力手段と、自己の住宅及び隣の住宅の外壁や窓、フェンスや石垣といった各種パーツ情報を前記入力手段より入力することにより、自己及び隣の住宅外観を前記表示手段に表示するとともに、前記パーツ情報に基づき前記部品データベースを参照してこれらパーツ情報に付与されているポイントの合計点数を計算し、その合計点数に基づき、前記レベルデータベースを参照して安全度または危険度のレベルを決定し、そのレベルに対応した内容を前記表示手段に表示するシミュレーション手段とを備えたことを特徴とする。
【００１３】
このシステムによれば、自己の住宅のパーツ情報と隣の住宅のパーツ情報とを入力するだけで、その隣家との間の防犯上の安全度または危険度のレベルが自動的に表示されるので、ユーザは、パーツを組み立てて設計した住宅が、隣家との関係において防犯上どの程度の安全度または危険度があるかを即座に知ることができる。
【発明の効果】
【００１４】
本発明のスクラム防犯診断システムによれば、自己の住宅地に対し隣地または隣家との関係を考慮した防犯上の安全度または危険度のレベルが自動的に表示されるので、これを参考としてよりしっかりとした防犯対策を施すことができる。
【００１５】
また、本発明の住宅シミュレーションシステムによれば、自己の住宅のパーツ情報と隣の住宅のパーツ情報とを入力するだけで、その隣家との間の防犯上の安全度または危険度のレベルが自動的に表示されるので、ユーザは、パーツを組み立てて設計した住宅が、隣家との関係において防犯上どの程度の安全度または危険度があるかを即座に知ることができる。従って、画面上に表示されている自己の住宅のパーツを適宜取り替えることにより、防犯上の安全度を満たす住宅の設計すなわちシミュレーションを容易に行うことができる。
【発明を実施するための最良の形態】
【００１６】
以下、本発明の実施形態について、図面を参照して説明する。
【００１７】
＜実施形態１＞
図１は、本実施形態１のスクラム防犯診断システムの電気的構成を示すブロック図である。
【００１８】
このスクラム防犯診断システム１０は、隣家を含む周辺環境に対するチェック項目とそのチェック項目の安全度（または危険度）を示すポイントとが対応付けられて格納されているチェックポイントデータベース１１と、ポイントの合計点数に対応させて安全度（または危険度）のレベルを複数段階に区分して格納されているレベルデータベース１２と、チェック項目をはじめとする各種情報を表示するＣＲＴやＬＣＤ等からなる表示手段１３と、表示手段１３に表示されたチェック項目に対してユーザが入力を行うためのキーボードやマウス等の入力手段１４と、入力手段１４によりユーザによって入力されたチェック項目のチェック数に基づき、チェックポイントデータベース１１を参照してチェックポイントの合計点数を計算するとともに、その合計点数に基づき、レベルデータベース１２を参照して安全度または危険度のレベルを決定し、そのレベルに対応した内容を表示手段１３に表示させる防犯診断部１５とを備えている。
【００１９】
図２は、チェックポイントデータベース１１のデータ構成例を示している。
【００２０】
チェックポイントデータベース１１には、チェックすべき周辺環境の種類として、「隣家との人間関係」の項目欄１１１、「隣家との住環境」の項目欄１１２、「前面道路の状況」の項目欄１１３、「周辺環境（立地条件等）」の項目欄１１４の４種類の項目欄が用意されており、各項目欄１１１〜１１４について、質問事項の項目とポイントの項目とが対応付けられて格納されている。
【００２１】
具体的には、「隣家との人間関係」の項目欄１１１では、Ｑ１〜Ｑ７の７つの質問事項が用意されており、それぞれの質問事項についてポイントが付与されている。この例では、Ｑ１〜Ｑ６の質問事項にそれぞれ「１５」ポイント、Ｑ７の質問事項に「１０」ポイントが付与されており、全質問事項Ｑ１〜Ｑ７にチェックが入った場合の総ポイント数が「１００」となるように設定されている。以下、詳細な説明を省略するが、他の項目欄１１２〜１１４についても同様である。なお、質問事項の具体的内容については、後の処理手順のところで説明する。また、「隣家との住環境」の項目欄１１２については、「隣が戸建住宅の場合」、「アパートや集合住宅の場合」、「店舗の場合」、「駐車場の場合」の他、「公園や空き地の場合」等、さらに細分化して設定することも可能である。
【００２２】
図３は、レベルデータベース１２のデータ構成例を示している。
【００２３】
レベルデータベース１２には、上記チェックポイントデータベース１１に対応した「隣家との人間関係」の項目欄１２１、「隣家との住環境」の項目欄１２２、「前面道路の状況」の項目欄１２３、「周辺環境（立地条件等）」の項目欄１２４の４種類の項目欄のそれぞれについて、「総ポイント数」の項目と「安全度レベル」の項目とが対応付けられて格納されている。
【００２４】
具体的には、「隣家との人間関係」の項目欄１２１、「隣家との住環境」の項目欄１２２及び「前面道路の状況」の項目欄１２３では、それぞれ安全度レベルが４段階に分類されており、総ポイント数が０〜２９点の場合にはレベル１、総ポイント数が５０〜６９点の場合にはレベル２、総ポイント数が７０〜８９点の場合にはレベル３、総ポイント数が９０点以上の場合にはレベル４となっている。また、「周辺環境（立地条件等）」の項目欄１２４では、安全度レベルが３段階に分類されており、総ポイント数が０〜５９点の場合にはレベル１、総ポイント数が６０〜６９点の場合にはレベル２、総ポイント数が７０点以上の場合にはレベル３となっている。
【００２５】
次に、上記構成のスクラム防犯診断システム１０によるスクラム防犯診断の処理手順について、図４に示す説明図、及び図５〜図９に示す表示手段１３での表示画面例を参照して説明する。
【００２６】
スクラム防犯診断にあたっては、図４に示すように、自己の住宅を中心として、前後左右の４面での防犯診断を個別に行う。すなわち、隣家との関係では、Ａ家、Ｂ家、Ｃ家のそれぞれと自己の住宅との関係において個別に防犯診断を行う。
【００２７】
本システムを起動してスクラム防犯診断を開始すると、表示手段１３には、図５に示す最初の質問事項の画面が表示されるので、ユーザはこの画面に従って「はい」、「いいえ」を選択する。本実施形態１では、図４に示すように、道路を除く３面が全て戸建であるので、「はい（戸建住宅です）」を選択（図中、符号４１１により示す）することになる。
【００２８】
次に、表示手段１３には、図６に示す「隣家との人間関係をチェックします。」と記載された画面が表示される。この画面には、チェックポイントデータベース１１に格納されているチェック項目に対応して、左側に各質問事項Ｑ１〜Ｑ７の詳細欄６１１が表示され、右側上部に各質問事項Ｑ１〜Ｑ７のチェック窓６１２が表示され、右側下部に安全度レベルの詳細欄６１３が表示されている。チェック窓６１２の最下段の行は、各質問事項Ｑ１〜Ｑ７にチェックが入った場合の総ポイント数が表示されるようになっている。従って、画面表示された時点では「０」ポイントとなっている。
【００２９】
ユーザは、この画面の質問事項を読み、該当する場合にはチェック窓６１２の該当する質問事項のチェック窓にチェックを入れていく。この処理を、質問事項Ｑ１からＱ７まで行う。
【００３０】
防犯診断部１５は、質問事項のチェック窓６１２にチェックが入るたびに、チェックポイントデータベース１１を参照してチェックポイントの合計点数を計算し、その計算結果をチェック窓６１２の最下段の総ポイント数の窓に表示する。
【００３１】
その結果、例えばＱ１〜Ｑ７の全てにチェックが入った場合には、最下段の総ポイント数の窓に「１００」が表示されることになる。また、例えば質問事項Ｑ７のみにチェックが入らなかった場合には、最下段の総ポイント数の窓に「９０」が表示されることになる。
【００３２】
ユーザは、総ポイント数の窓に表示されたポイント数が安全度レベルの詳細欄６１３に表示されたどのレベルに入るのかを確認することによって、隣家との人間関係に基づく安全度を知ることができる。
【００３３】
ここで、本実施形態１では、レベルデータベース１２を備えているので、防犯診断部１５は、最下段の総ポイント数の窓に表示された数値に基づいてレベルデータベース１２を検索し、該当する安全度レベルを認識して、詳細欄６１３に表示されている該当する安全度レベルの説明文を例えば反転表示（若しくは、色付き表示）等することにより、ユーザに安全度レベルを明確に示すことができる。
【００３４】
次に、ユーザが「隣家との人間関係をチェックします。」と記載された画面の図示しない「次へ」と記載されたボタンを選択すると、表示手段１５には、図７に示す「隣家との住環境をチェックします。」と記載された画面が表示される。この画面には、チェックポイントデータベース１１に格納されているチェック項目に対応して、左側に各質問事項Ｑ１〜Ｑ８の詳細欄７１１が表示され、右側上部に各質問事項Ｑ１〜Ｑ８のチェック窓７１２が表示され、右側下部に安全度レベルの詳細欄７１３が表示されている。チェック窓７１２の最下段の行は、各質問事項Ｑ１〜Ｑ８にチェックが入った場合の総ポイント数が表示されるようになっている。従って、画面表示された時点では「０」ポイントとなっている。
【００３５】
ユーザは、この画面の質問事項を読み、該当する場合にはチェック窓７１２の該当する質問事項のチェック窓にチェックを入れていく。この処理を、質問事項Ｑ１からＱ８まで行う。
【００３６】
防犯診断部１５は、質問事項のチェック窓７１２にチェックが入るたびに、チェックポイントデータベース１１を参照してチェックポイントの合計点数を計算し、その計算結果をチェック窓７１２の最下段の総ポイント数の窓に表示する。
【００３７】
その結果、例えばＱ１〜Ｑ８全てにチェックが入った場合には、最下段の総ポイント数の窓に「１００」が表示されることになる。また、例えば質問事項Ｑ７のみにチェックが入らなかった場合には、最下段の総ポイント数の窓に「８５」が表示されることになる。      
【００３８】
ユーザは、総ポイント数の窓に表示されたポイント数が安全度レベルの詳細欄７１３に表示されたどのレベルに入るのかを確認することによって、隣家との住環境に基づく安全度を知ることができる。この場合、上記と同様に、該当する安全度レベルの説明文を例えば反転表示（若しくは、色付き表示）等することにより、ユーザに安全度レベルを明確に示すことができる。
【００３９】
次に、ユーザが「隣家との住環境をチェックします。」と記載された画面の図示しない「次へ」と記載されたボタンを選択すると、表示手段１５には、図８に示す「前面道路の状況をチェックします。」と記載された画面が表示される。この画面には、チェックポイントデータベース１１に格納されているチェック項目に対応して、左側に各質問事項Ｑ１〜Ｑ７の詳細欄８１１が表示され、右側上部に各質問事項Ｑ１〜Ｑ７のチェック窓８１２が表示され、右側下部に安全度レベルの詳細欄８１３が表示されている。チェック窓８１２の最下段の行は、各質問事項Ｑ１〜Ｑ７にチェックが入った場合の総ポイント数が表示されるようになっている。従って、画面表示された時点では「０」ポイントとなっている。
【００４０】
ユーザは、この画面の質問事項を読み、該当する場合にはチェック窓８１２の該当する質問事項のチェック窓にチェックを入れていく。この処理を、質問事項Ｑ１からＱ７まで行う。
【００４１】
防犯診断部１５は、質問事項のチェック窓８１２にチェックが入るたびに、チェックポイントデータベース１１を参照してチェックポイントの合計点数を計算し、その計算結果をチェック窓８１２の最下段の総ポイント数の窓に表示する。
【００４２】
その結果、例えばＱ１〜Ｑ７全てにチェックが入った場合には、最下段の総ポイント数の窓に「１００」が表示されることになる。また、例えば質問事項Ｑ７のみにチェックが入らなかった場合には、最下段の総ポイント数の窓に「８５」が表示されることになる。      
【００４３】
ユーザは、総ポイント数の窓に表示されたポイント数が安全度レベルの詳細欄８１３に表示されたどのレベルに入るのかを確認することによって、前面道路の状況に基づく安全度を知ることができる。この場合、上記と同様に、該当する安全度レベルの説明文を例えば反転表示（若しくは、色付き表示）等することにより、ユーザに安全度レベルを明確に示すことができる。
【００４４】
次に、ユーザが「前面道路の状況をチェックします。」と記載された画面の図示しない「次へ」と記載されたボタンを選択すると、表示手段１５には、図９に示す「周辺環境をチェックします。」と記載された画面が表示される。この画面には、チェックポイントデータベース１１に格納されているチェック項目に対応して、左側に各質問事項Ｑ１〜Ｑ６の詳細欄９１１が表示され、右側上部に各質問事項Ｑ１〜Ｑ６のチェック窓９１２が表示され、右側下部に安全度レベルの詳細欄９１３が表示されている。チェック窓９１２の最下段の行は、各質問事項Ｑ１〜Ｑ６にチェックが入った場合の総ポイント数が表示されるようになっている。従って、画面表示された時点では「０」ポイントとなっている。
【００４５】
ユーザは、この画面の質問事項を読み、該当する場合にはチェック窓９１２の該当する質問事項のチェック窓にチェックを入れていく。この処理を、質問事項Ｑ１からＱ６まで行う。
【００４６】
防犯診断部１５は、質問事項のチェック窓９１２にチェックが入るたびに、チェックポイントデータベース１１を参照してチェックポイントの合計点数を計算し、その計算結果をチェック窓９１２の最下段の総ポイント数の窓に表示する。
【００４７】
その結果、例えばＱ１〜Ｑ６全てにチェックが入った場合には、最下段の総ポイント数の窓に「１００」が表示されることになる。また、例えば質問事項Ｑ６のみにチェックが入らなかった場合には、最下段の総ポイント数の窓に「８０」が表示されることになる。      
【００４８】
ユーザは、総ポイント数の窓に表示されたポイント数が安全度レベルの詳細欄９１３に表示されたどのレベルに入るのかを確認することによって、周辺環境に基づく安全度を知ることができる。この場合、上記と同様に、該当する安全度レベルの説明文を例えば反転表示（若しくは、色付き表示）等することにより、ユーザに安全度レベルを明確に示すことができる。
【００４９】
次に、ユーザが「周辺環境をチェックします。」と記載された画面の図示しない「終了」と記載されたボタンを選択すると、全ての処理を終了する。ただし、「終了」ボタンを選択することで、上記４種類の防犯診断結果を一覧形式にまとめて再度表示し、この後、この画面の図示しない「終了」と記載されたボタンを選択することで、全ての処理を終了するようにしてもよい。なお、このように一覧形式にまとめた診断結果を図示しないプリンタ等からプリントアウトするようにしてもよい。
【００５０】
＜実施形態２＞
本実施形態２の住宅シミュレーションシステムは、上記実施形態１のスクラム防犯診断システムを利用したシステムである。
【００５１】
図１０は、本実施形態２の住宅シミュレーションシステムの電気的構成を示すブロック図である。
【００５２】
この住宅シミュレーションシステム２０は、図１に示すスクラム防犯診断システム１０を利用したシステムであって、住宅の窓や面格子といった各種住宅パーツ、フェンスや石垣、門扉といった各種外構パーツ、及び防犯、及び照明や検知センサ、カメラといった各種機器パーツに、防犯を考慮したポイントがそれぞれ付与されて格納されている部品データベース２１と、防犯診断部１５による診断結果に基づき、一定レベルの安全度を満たすポイント数となるように部品データベース２１から各種部品を抽出し組み合わせて住宅の外観（３次元立体画像を模式的に示した図）を構成し表示手段１５に表示する画像処理部（シミュレーション手段）２２とを備えている。
【００５３】
図１１は、部品データベース２１のデータ構成例を示している。
【００５４】
この部品データベース２１には、住宅パーツの項目欄２１１、外構パーツの項目欄２１２、機器パーツの項目欄２１３、及び各種寸法の項目欄２１４が設けられており、各項目欄のそれぞれについて、住宅を３次元的に表現するために必要な各パーツが安全度を計算するためのポイントとともに格納されている。
【００５５】
具体的に説明すると、住宅パーツ欄２１１には、外壁、窓大、窓中、窓小、面格子、１重鍵、２重鍵、・・・等の住宅を建設する上で必要となるパーツが格納されている。ここで、外壁については、住宅の外観を構築するために必要であるが、これと安全度とはあまり関係がないので、安全度を示すポイントは付与されていない。また、外壁に嵌め込まれた窓は、基本的には大きいほど内部が見やすく安全度も低いと考えられるので、この例では窓が大きいほど安全度を低く設定している。また、面格子は、付けているだけでも侵入者に心理的な防犯効果を与えることができるので、比較的高いポイント（ここでは、２０点）が付与されている。また、窓に付ける鍵は、１重鍵よりも２重鍵の方が侵入者に与える心理的効果は大きいので、２重窓の安全度を比較的高く設定している。
【００５６】
外構パーツ欄２１２には、フェンス、垣根、門扉、砂利等の住宅の外構に必要なパーツが格納されている。砂利は、住宅の周囲等に敷設することによって歩くと音が出るため、侵入者にとってはいやなパーツの一つである。なお、この例では、外構に必須ではないが、防犯上問題となる部品、例えば屋外ポストなどの部品も格納されている。屋外ポストは、その中を調べられることによって、家族構成や在宅の有無等が簡単に知られてしまうため、安全上、問題となる場合が多い。そのため、本実施形態２では、安全度としてマイナスポイントを付与している。なお、このようなポイントをどのように付与するかは、例えば過去の犯罪履歴や、警察署などで纏められている犯罪白書等に掲載されている犯罪者の手口等を参考にして適宜決定すればよい。
【００５７】
機器パーツ欄２１３には、照明、赤外線センサ等の人体検知センサ、防犯カメラなどのパーツが格納されている。夜間の照明点灯は、侵入者に対する防犯効果も比較的高いため、高いポイントが付与されている。また、検知センサや防犯カメラは、侵入者に対する防犯効果がより高いため、さらに高いポイントが付与されている。
【００５８】
各種寸法欄２１４には、例えば自己の住宅と隣家の外壁同士の距離などが格納されている。外壁同士の距離は、基本的には広い方が見通しがきくため、距離が大きいほど高いポイントが付与されている。
【００５９】
なお、図１１に記載した各パーツはほんの一例であり、必要に応じて随時パーツを増やせばよい。
【００６０】
次に、上記構成の住宅シミュレーションシステム２０による住宅シミュレーションの処理手順について説明する。
【００６１】
上記スクラム防犯診断システム１０によって、例えば安全度が６０点であるといった診断結果が出たとすると、その診断結果を取得した画像処理部２２は、例えば安全度が合計で１００点を超えるように、すなわち少なくとも４０点以上は確保できるような住宅を設計する。
【００６２】
この場合、例えば住宅のある一面の窓の数や大きさ、フェンスの種類と高さ、本住宅と隣家との間の外壁間の距離などをデフォルト値として設定しておけば、画像処理部２２は、まずこのデフォルト値を用いて住宅を設計し、その住宅の外観を表示手段１３に例えば３次元の立体画像で模式的に表示する。
【００６３】
ここで、窓の数として１個、その大きさとして「窓大」が設定されており、フェンスの種類として不透明フェンス、その高さとして「高」が設定されており、外壁間距離として「４ｍ」が設定されていると、「窓大」は部品データベース２１の住宅パーツ欄２１１から５点であり、不透明フェンス高は５点であり、外壁間距離「４ｍ」は２０点であるので、その合成は３０点となり、目標の４０点にあと１０点足りないことになる。そのため、画像処理部２２では、１０点以上のパーツを１つ選択または複数を組み合わせて選択することで、総ポイント数が４０点以上となるように設計変更する。
【００６４】
例えば、不透明フェンスの高さを「高」から「低」に変更することで総ポイント数が５５点となり、４０点以上の条件をクリアすることができる。このとき、表示画面上でも、不透明フェンスの高さを「高」から「低」に変更し、ユーザに視覚的に変化が分かるようにする。これにより、ユーザは、安全度を満たすためには、どこをどのように変更すれば良いのかが一目で分かることになる。
【００６５】
または、機器パーツ欄２１３から照明を選択することで総ポイント数が７０点となり、総ポイント数４０点以上の条件をクリアすることができる。このとき、表示手段１３にも照明器具を点灯した状態で設置した画像を表示し、ユーザに視覚的に変更箇所が分かるようにする。これにより、ユーザは、安全度を満たすためには、どこをどのように変更すれば良いのかが一目で分かることになる。
【００６６】
画像処理部２２でどのパターンを選択するのかは、予め選択手順を決めておき、その手順通りに行って選択した１つの変更パターンを表示手段に表示するようにしてもよいし、可能な全ての変更パターンを表示手段１３に表示するように構成してもよい。全てのパターンを表示する場合には、そのパターン数を画面下等に表示し、そこをユーザがクリックするたびに、表示手段１３に順次表示するようにすればよい。
【００６７】
＜実施形態３＞
本実施形態３の住宅シミュレーションシステムは、自己の住宅を、隣の住宅との防犯上の連係を考慮してシミュレーションするシステムである。
【００６８】
図１２は、本実施形態３の住宅シミュレーションシステムの電気的構成を示すブロック図である。
【００６９】
この住宅シミュレーションシステム３０は、住宅の窓や面格子といった各種住宅パーツ、フェンスや石垣、門扉といった各種外構パーツ、及び照明や検知センサ、カメラといった各種機器パーツに防犯を考慮したポイントが付与されて格納されている部品データベース３１と、ポイントの合計点数に対応させて安全度または危険度のレベルを複数段階に区分して格納されているレベルデータベース３２と、住宅や敷地の３次元立体図を模式的に表示するＣＲＴやＬＣＤ等の表示手段３３と、ユーザが入力を行うためのマウスやキーボード等の入力手段３４と、自己の住宅及び隣の住宅の外壁や窓、フェンスや石垣といった各種パーツ情報を入力手段３４より入力することにより、自己及び隣の住宅外観を表示手段３１に表示するとともに、パーツ情報に基づき部品データベース３３を参照してこれらパーツ情報に付与されているポイントの合計点数を計算し、その合計点数に基づき、レベルデータベース３２を参照して安全度または危険度のレベルを決定し、そのレベルに対応した内容を表示手段３１に表示する画像処理部（シミュレーション手段）３５とを備えている。
【００７０】
レベルデータベース３２のデータ構成については、例えば図３に示したデータ構成とすることができる。すなわち、安全度レベルが例えば４段階に分類されており、総ポイント数が０〜４９点の場合にはレベル１、総ポイント数が５０〜６９点の場合にはレベル２、総ポイント数が７０〜８９点の場合にはレベル３、総ポイント数が９０点以上の場合にはレベル４となっている。また、部品データベース３１のデータ構成については、図１１に示したものと同じである。
【００７１】
次に、上記構成の住宅シミュレーションシステム３０による住宅シミュレーションの処理手順について、図１３及び図１４に示す表示手段３３の表示画面例を参照して説明する。
【００７２】
まず、ユーザが、入力手段３４から自己の住宅の情報（外壁、窓、フェンス等）と隣家の住宅の情報（外壁、窓、フェンス等）とを入力する。ここで、入力する情報としては、あまり詳細なものをユーザに要求するのは無理であるので、予め入力項目（外壁、窓、フェンス等）を画面表示し、その入力項目ごとに、ユーザが部品データベース３１に格納されているパーツから適宜選択して入力する構成とすることができる。これにより、ユーザのイメージするおおよその住宅の外観を表示することができる。
【００７３】
ここで、画像処理部３５では、この入力情報に基づき、部品データベース３１に格納されている住宅の構成部品の合計ポイント数を計算し、その計算結果に基づき、レベルデータベース３２を参照して安全度（または危険度）のレベルを決定し、そのレベルに対応した内容を表示手段３３に表示する。
【００７４】
図１３（ａ）は、このときの表示例を示している。この例では、例えば画面右側が自己の住宅、画面左側が隣家の住宅となっている。また、画面下には、このような住宅配置関係における安全度のレベルが表示されている。ここでは、例えば総ポイント数が６５点であり、安全度としてはレベル２であったとする。なお、この場合にレベル２の文字表示を他のレベルの文字表示と異ならせる（反転表示または別の色を付けて表示する）ことにより、ユーザに安全度レベルを明確に示すことができる（図１３（ａ）では、反転表示等の箇所を網かけ表示している）。
【００７５】
ここで、ユーザが、両住宅の間にあるフェンス５１の高さを、それまでの高い不透明フェンスから低い不透明フェンスに変更したとする。このようにフェンスの高さを変更した結果、画像処理部３５では、この変更情報に基づき、部品データベース３１に格納されている外構パーツ欄を参照（図１１の外構パーツ欄２１２を参照）し、不透明フェンスの高さが「低」の場合のポイント数が３０となっているので、この３０から不透明フェンスの高さが「高」のときの５を引いた２５を、先程の総ポイント数である６５に加算して、総ポイント数を９０点とする。
【００７６】
図１３（ｂ）は、このときの表示例を示している。図１３（ａ）の場合に比べて両住宅間の不透明フェンスの高さが低くなっており、両住宅間の見通しが良くなった分、安全度が向上している。この場合、安全度はレベル４となり、画面下にはレベル４の文字表示が他のレベルの文字表示と異なった表示形態（反転表示または別の色を付けて表示）で表示されている。これにより、ユーザに安全度レベルを明確に示すことができる（図１３（ｂ）では、反転表示等の箇所を網かけ表示している）。
【００７７】
また、図１４は他の例を示しており、同図（ａ）に示す表示状態から、同図（ｂ）に示すように、ユーザが自宅の窓を小さい窓に変更した例である。前面道路との関係について見ると、隣家には、庭先に植栽１４０１があり、かつリビングの窓１４０２が小さくなっている。そのため、植栽１４０１は侵入者の格好の隠れ場所となり、また、リビング側の窓１４０２が小さい場合には、住人の視線が室外に届きにくいことから、この場合の前面道路側の安全度は、低いレベルとならざるを得ない。具体例は省略するが、例えばこのときの前面道路側の総ポイント数が５５点であったとすると、安全度はレベル１となり、防犯上かなり危険な状態であることが分かる。そこで、ユーザは、自己の住宅の前面道路側の窓１４０３を、図１４（ａ）に示す大きな窓から、泥棒が侵入しにくい小さな窓に変更したとする。この変更情報に基づき、画像処理部３５は、部品データベース３１に格納されている外構パーツ欄を参照（図１１の外構パーツ欄２１２を参照）し、窓の大きさが「小」の場合のポイント数が２０となっているので、この２０から窓の大きさが「大」のときの５を引いた１５を、先程の総ポイント数である５５に加算して、総ポイント数を７０点とする。
【００７８】
図１４（ｂ）は、このときの表示例を示している。図１４（ａ）の場合に比べて窓１４０３の大きさが小さくなっており、安全度が向上している。この場合、安全度はレベル２となり、画面下にはレベル２の文字表示が他のレベルの文字表示と異なった表示形態（反転表示または別の色を付けて表示）で表示されている（図１４（ｂ）では、反転表示等の箇所を網かけ表示している）。これにより、ユーザに安全度レベルを明確に示すことができる。
【００７９】
なお、上記実施形態１，２では、部品データベース２１，３１の構成として、各パーツに対応させて安全度のポイントが付与されているが、危険度のポイントを付与してもよい。例えば、住宅パーツ欄２１１の「窓」のパーツでいえば、「窓大」のポイントを２０点、「窓中」のポイントを１０点、「窓小」のポイントを５点とする。そして、住宅をシミュレートする場合には、例えば１００点を満点とし、これから各パーツの危険度を引いていくようにして安全度のレベルを計算するようにしてもよい。この場合、取り付けることによって安全度が増すパーツ、例えば機器パーツについては、危険度のポイントとしてマイナスのポイントを付与しておく。例えば、「照明」については−４０点といった具合である。
【００８０】
この場合の具体的な計算処理としては、例えば隣家に対面している外壁に「窓大」を取り付けた場合には、その面に対しての安全度は１００−２０＝８０点となり、これに面格子を付けた場合（例えば、面格子のポイントが−１０であった場合）には、８０−（−１０）＝９０点となる。このようにして最終的な総ポイント数を計算し、その点数に基づき、レベルデータベース１２を参照して安全度のレベルを決定すればよい。
【図面の簡単な説明】
【００８１】
【図１】本発明のスクラム防犯診断システムの電気的構成を示すブロック図である。
【図２】チェックポイントデータベースのデータ構成例を示す説明図である。
【図３】レベルデータベースのデータ構成例を示す説明図である。
【図４】スクラム防犯診断システムによるスクラム防犯診断の処理手順を説明するための画面表示例を示す説明図である。
【図５】スクラム防犯診断システムによるスクラム防犯診断の処理手順を説明するための画面表示例を示す説明図である。
【図６】スクラム防犯診断システムによるスクラム防犯診断の処理手順を説明するための画面表示例を示す説明図である。
【図７】スクラム防犯診断システムによるスクラム防犯診断の処理手順を説明するための画面表示例を示す説明図である。
【図８】スクラム防犯診断システムによるスクラム防犯診断の処理手順を説明するための画面表示例を示す説明図である。
【図９】スクラム防犯診断システムによるスクラム防犯診断の処理手順を説明するための画面表示例を示す説明図である。
【図１０】本発明の住宅シミュレーションシステムの一実施形態の電気的構成を示すブロック図である。
【図１１】部品データベースのデータ構成例を示す説明図である。
【図１２】本発明の住宅シミュレーションシステムの他の実施形態の電気的構成を示すブロック図である。
【図１３】住宅シミュレーションシステムによる住宅シミュレーションの処理手順を説明するための表示画面例を示す説明図である。
【図１４】住宅シミュレーションシステムによる住宅シミュレーションの処理手順を説明するための表示画面例を示す説明図である。
【符号の説明】
【００８２】
１０  スクラム防犯診断システム
１１  チェックポイントデータベース
１２  レベルデータベース
１３  表示手段
１４  入力手段
１５  防犯診断部
２０  住宅シミュレーションシステム
２１  部品データベース
２２  画像処理部
３０  住宅シミュレーションシステム
３１  部品データベース
３２  レベルデータベース
３３  表示手段
３４  入力手段
３５  画像処理部
【図１】
2005251107.tif 000003
【図２】
2005251107.tif 000004
【図３】
2005251107.tif 000005
【図４】
2005251107.tif 000006
【図５】
2005251107.tif 000007
【図６】
2005251107.tif 000008
【図７】
2005251107.tif 000009
【図８】
2005251107.tif 000010
【図９】
2005251107.tif 000011
【図１０】
2005251107.tif 000012
【図１１】
2005251107.tif 000013
【図１２】
2005251107.tif 000014
【図１３】
2005251107.tif 000015
【図１４】
2005251107.tif 000016